(57)【要約】【課題】回路基板との接着接合に対する信頼性を高め、また、外観の見栄え悪化を防止する。【解決手段】  底板５と、底板５の周縁部に立設した第一周壁６Ａと、第一周壁６Ａの内側に一体的に形成され第一周壁６Ａの高さよりも低い第二周壁６Ｂと、第二周壁６Ｂの先端面の少なくとも一部に形成された第一溝８とを有し、第二周壁６Ｂの先端面は回路基板の支持面と成し、第二周壁６Ｂに囲まれた内側空間Ｓには回路基板を固定するための接着剤７が充填される構成を備えたケース３であって、第二周壁６Ｂには、内側空間Ｓと第一溝８とを連通する連通孔１０と先端面に形成される第二溝とのうちの少なくとも一方を設ける。連通孔１０と第二溝は、内側空間Ｓから押し出された接着剤７のフロー経路と成す。【選択図】図１
2008269409.tif 000002
【特許請求の範囲】
【請求項１】
底板と、
該底板の周縁部に立設した第一周壁と、
該第一周壁の内側に一体的に形成されている、前記第一周壁の高さよりも低い第二周壁と、
該第二周壁の先端面の少なくとも一部に形成された第一溝と、
を有し、
前記第二周壁の先端面は回路基板の支持面と成し、前記第二周壁に囲まれた内側空間には前記回路基板を固定するための接着剤が充填される構成を備えたケースであって、
前記第二周壁に形成され当該第二周壁に囲まれた内側空間と前記第一溝とを連通する連通孔と、前記第二周壁の先端面に形成され前記第二周壁に囲まれた内側空間と前記第一溝とを繋ぐ第二溝とのうちの少なくとも一方が設けられており、
前記連通孔と第二溝は、前記内側空間から押し出された接着剤のフロー経路と成すことを特徴とするケース。
【請求項２】
第二周壁の内側壁面は、底板側から先端側に向かうに従って外向きに傾いている傾斜面と成していることを特徴とする請求項１記載のケース。
【請求項３】
請求項１又は請求項２記載のケースを備えていることを特徴とするＳＤカード。
【発明の詳細な説明】
【技術分野】
【０００１】
本発明は、ケースおよびそれを備えたＳＤカードに関するものである。
【背景技術】
【０００２】
図６にはＳＤカードの模式的な分解図が示されている。このＳＤカード１は、回路基板２と、ケース３とを有して構成されている。回路基板２には、その表面側に部品４が搭載されて回路が形成されている。ケース３は、回路基板２の表面上の部品配置領域の上方側を覆う底板５と、当該底板５の周縁部から回路基板２の周縁部に向けて立設されている周壁６とを有して構成されている。図７（ａ）にはケース３が周壁６の先端面を上側に向けた姿勢で模式的な斜視図により示され、図７（ｂ）には図７（ａ）の点線Ｚで囲まれた部分が拡大して示され、図７（ｃ）には図７（ｂ）のＢ−Ｂ部分の模式的な断面図が示されている。周壁６は、外側の第一周壁６Ａと、当該第一周壁６Ａの内側に一体的に設けられている第二周壁６Ｂとを有して構成されている。第二周壁６Ｂは第一周壁６Ａよりも低く、この第二周壁６Ｂの先端面には、当該第二周壁６Ｂの全周に渡って接着剤食み出し防止用溝８が周回形成されている。当該第二周壁６Ｂの先端面は、図７（ｄ）の模式的な断面図に示されるように、回路基板２の周縁部に当接し回路基板２を支持する。
【０００３】
ケース３は、第二周壁６Ｂに囲まれている内側空間Ｓに充填された接着剤（例えばエポキシ樹脂）７によって回路基板２と接着接合される。ケース３と回路基板２とを接着接合させる工程の一例を次に述べる。
【０００４】
まず、図８（ａ）や、図９（ａ）の模式的な断面図に示されるように、ケース３の第二周壁６Ｂに囲まれている内側空間Ｓに溶融状態の接着剤７を設ける。その後、図８（ｂ）や図９（ａ）に示されるように、部品４が搭載されている回路基板２の表面をケース３の底板５に向けた状態で、図８（ｃ）に示されるように回路基板２とケース３とを嵌め合わせる。このとき、部品４等からの押圧力によって接着剤７の一部が内側空間Ｓから押し出されることがある。その押し出された接着剤７は第二周壁６Ｂを乗り越えて接着剤食み出し防止用溝８に流れ込む。これにより、接着剤７がケース３の外部に食み出してＳＤカード１の見栄えが悪くなることを防止している。
【０００５】
回路基板２とケース３を嵌め合わせた後には、接着剤７を加熱等の接着剤硬化手法によって硬化させる。このような工程でもって回路基板２とケース３とを接着接合することができる。
【０００６】
【特許文献１】特開平６−１４３８８４号公報
【発明の開示】
【発明が解決しようとする課題】
【０００７】
ところで、製造効率の向上を図るために回路基板２とケース３との接着接合工程に掛けられる時間は短時間である。このために、接着剤食み出し防止用溝８を設けただけでは、接着剤７の食み出しを次に示すような理由から完璧に防止することができない。
【０００８】
つまり、図９（ｂ）の模式的な断面図に示されるように、ＳＤカード１の内部には、α部分のように回路基板２に設けられている部品４と、ケース３の底板５や第二周壁６Ｂとの間の間隙が狭い箇所や、β部分のように回路基板２の部品４と、ケース３の底板５や第二周壁６Ｂとの間の間隙が広い箇所がある。このため、図９（ａ）に示されるように溶融状態の接着剤７が設けられたケース３と、回路基板２とを嵌め合わせたときに、α部分のように間隙が狭い箇所の接着剤７は、部品４等から受けた押圧力によってその場所から押し出されて、β部分のように間隙が広い箇所に流れ込んでいって当該箇所の接着剤７の未充填部分に補充されるというような接着剤７の流れ（動き）が生じる。このような接着剤７の動きによって、内側空間Ｓの全体に接着剤７が充填形成される。
【０００９】
しかし、製造効率の向上のために回路基板２とケース３との嵌め合わせを短時間で行うので、その嵌め合わせ時に、部品４と、ケース３の第二周壁６Ｂとの間の間隙（クリアランス）が非常に狭い箇所の接着剤７は、勢いよく押し出され、接着剤食み出し防止用溝８を設けているのにも拘わらず、その接着剤食み出し防止用溝８を介して、図９（ｂ）のＸ部分のようにケース３の外部に溢れ出てしまうことがある。このため、ＳＤカード１の外観の見栄えが悪くなるという問題が生じるし、また、その溢れ出た分、接着剤７が充填形成されない部分が生じる。
【００１０】
さらに、回路基板２とケース３とを嵌め合わせたときに、接着剤７の粘性のために、間隙が狭い箇所から間隙が広い箇所に接着剤７が流れ込むのには、ある程度の時間を要するが、回路基板２とケース３を嵌め合わせてから接着剤７の硬化を開始するまでの時間は製造効率の向上のために短時間であることから、間隙が広い箇所における接着剤未充填領域Ｙに接着剤７が補充されて充填される前に、接着剤７の硬化工程が開始されることがある。この場合には、回路基板２とケース３との間の内側空間Ｓにおいて、接着剤７が充填されている部分と、接着剤７が充填されていない部分とが生じてしまうことになるので、接着剤７が不足している部分では回路基板２とケース３との接着強度が弱くなり、これにより、回路基板２とケース３との接着接合に対する信頼性を低下させてしまうという問題が生じる。
【００１１】
本発明は上記課題を解決するために成されたものであり、その目的は、回路基板との接着接合に対する信頼性を高めることができ、また、外観の見栄えの悪化を防止することができるケースおよびそれを備えたＳＤカードを提供することにある。
【課題を解決するための手段】
【００１２】
上記目的を達成するために、この発明は次に示すような構成をもって前記課題を解決するための手段としている。すなわち、この発明のケースは、
底板と、
該底板の周縁部に立設した第一周壁と、
該第一周壁の内側に一体的に形成されている、前記第一周壁の高さよりも低い第二周壁と、
該第二周壁の先端面の少なくとも一部に形成された第一溝と、
を有し、
前記第二周壁の先端面は回路基板の支持面と成し、前記第二周壁に囲まれた内側空間には前記回路基板を固定するための接着剤が充填される構成を備えたケースであって、
前記第二周壁に形成され当該第二周壁に囲まれた内側空間と前記第一溝とを連通する連通孔と、前記第二周壁の先端面に形成され前記第二周壁に囲まれた内側空間と前記第一溝とを繋ぐ第二溝とのうちの少なくとも一方が設けられており、
前記連通孔と第二溝は、前記内側空間から押し出された接着剤のフロー経路と成すことを特徴としている。
【００１３】
また、この発明のＳＤカードは、この発明における特徴的な構成を持つケースを備えていることを特徴としている。
【発明の効果】
【００１４】
この発明によれば、ケースの第二周壁には、前記内側空間と第一溝とを連通させる連通孔と第二溝とのうちの少なくとも一方が形成されている構成とした。このため、回路基板とケースを接着接合する工程において、回路基板とケースを嵌め合わせたときに、回路基板の部品とケースの底板や第二周壁との間の間隙が狭い箇所から押し出された溶融状態の接着剤の一部は、前記連通孔や第二溝を通して、第一溝に流れ込む。また、その第一溝に流れ込んだ接着剤の一部が、前記連通孔や第二溝を通して、回路基板とケースとの間の空間における間隙が広い箇所の接着剤未充填領域に流れ込んで補充される。
【００１５】
このため、接着剤が第一溝からケース外側に溢れ出すことを防止できる上に、回路基板とケースとの間の空間における接着剤未充填部分に迅速に接着剤を補充できる。このために、回路基板とケースとの接着接合工程の時間が短時間であっても、外観の見栄え悪化を回避できるし、回路基板とケースとの間の空間全体に均等に接着剤を充填形成できて回路基板とケースとの接着接合に対する信頼性を高めることができる。また、この発明では、そのような効果を、ケースの第二周壁に連通孔又は第二溝を設けるだけの簡単な構成でもって得ることができる。
【００１６】
このことにより、この発明において特徴的な構成を持つケースを備えたＳＤカードにあっては、製造効率を高めながらも、外観の見栄え悪化に因る歩止まり悪化を抑制できるし、また、耐久性に対する信頼性を向上させることができる。
【００１７】
ケースの第二周壁の内側壁面が、底板側から先端側に向かうに従って外向きに傾いている傾斜面と成しているものにあっては、次に示すような効果を得ることができる。つまり、回路基板とケースとを嵌め合わせたときに、間隙が狭い箇所から押し出された接着剤の一部は、ケースの第二周壁の内側壁面を這い上がり、第一溝よりもケース内側の第二周壁部分を乗り越えて第一溝に流れ込むが、接着剤の流れが勢いよいと、第一溝からケース外側に溢れ出してしまう。これに対して、ケースの第二周壁の内側壁面を傾斜面とすることによって、当該傾斜面を這い上がる接着剤の流れを緩和させることができる。これにより、第一溝に流れ込む接着剤の勢いが抑制されて第一溝からケースの外側に接着剤が食み出すことをより確実に防止することができる。
【発明を実施するための最良の形態】
【００１８】
以下に、この発明に係る実施形態例を図面に基づいて説明する。なお、以下に述べる各実施形態例の説明において、前述した従来例と同一構成部分には同一符号を付し、その共通部分の重複説明は省略する。
【００１９】
図１（ａ）には、第１実施形態例のＳＤカードを構成するケース３が周壁６の先端面を上に向けた姿勢でもって示され、図１（ｂ）には図１（ａ）に示されるＺ部分が拡大して表され、図１（ｃ）には図１（ｂ）のａ−ａ部分の模式的な断面図が示されている。
【００２０】
この第１実施形態例では、ケース３の第二周壁６Ｂには複数の連通孔１０が設けられている。各連通孔１０は、それぞれ、その一端側の開口部１１が第二周壁６Ｂの内側壁面１４に設けられ、他端側の開口部１２が接着剤食み出し防止用溝（第一溝）８の溝底面に設けられており、連通孔１０は、回路基板２とケース３とを接着接合させるための接着剤７が設けられる内側空間Ｓと、接着剤食み出し防止用溝８とを連通させている。当該連通孔１０は、回路基板２とケース３を接着接合する工程において、内側空間Ｓから押し出された接着剤７を接着剤食み出し防止用溝８に導入したり、別の連通孔１０では、接着剤食み出し防止用溝８に流れ込んだ接着剤７を接着剤未充填領域に導入するものである。
【００２１】
連通孔１０がその機能を満足に果たすことができるように、回路基板２とケース３を接着接合するときの溶融状態の接着剤７の流れ易さや、回路基板２の部品４の配置構成や、ケース３の周壁６の機械的強度や形状などを考慮して、連通孔１０の形成位置や大きさが設定されている。例えば、連通孔１０の形成位置の例を挙げると、回路基板２の部品４とケース３の第二周壁６Ｂとの間の間隙が狭い箇所に面する部分と、間隙が広い箇所に面する部分とを少なくとも含む第二周壁６Ｂの複数箇所に連通孔１０を設ける。
【００２２】
この第１実施形態例のケース３とそれを備えたＳＤカード１における連通孔１０に関わる構成以外の構成は従来例と同様である。
【００２３】
以下に、第２実施形態例を説明する。なお、この第２実施形態例の説明において、第１実施形態例と同一構成部分には同一符号を付し、その共通部分の重複説明は省略する。
【００２４】
図２（ａ）には、第２実施形態例のＳＤカード１を構成するケース３の特徴的な部分が抜き出されて示され、図２（ｂ）には図２（ａ）のｂ−ｂ部分の模式的な断面図が示されている。この第２実施形態例では、第１実施形態例の構成に加えて、ケース３の第二周壁６Ｂの先端面に溝（第二溝）１３が形成されている。その溝１３は、接着剤７が設けられる内側空間Ｓと、接着剤食み出し防止用溝８とを連通する溝である。この溝１３は、回路基板２の部品４とケース３の第二周壁６Ｂとの間の間隙が最も狭い箇所に少なくとも対応させて１箇所以上設けられている。当該溝１３は、連通孔１０と同様の機能を持つものであり、溝１３も連通孔１０と同様に、回路基板２とケース３との接着接合工程での溶融状態の接着剤７の動きや流れ易さや、回路基板２の部品４の配置構成や、周壁６の機械的強度や形状等を考慮して、溝１３の形成位置や大きさ等が設定される。
【００２５】
以下に、第３実施形態例を説明する。なお、この第３実施形態例の説明において、第１や第２の各実施形態例と同一構成部分には同一符号を付し、その共通部分の重複説明は省略する。
【００２６】
図３には、第３実施形態例のＳＤカード１を構成するケース３の特徴的な構成部分が抜き出され模式的な断面図により示されている。この第３実施形態例では、ケース３の第二周壁６Ｂの内側壁面１４は、底板５側から先端側に向かうに従って外向きに傾いている傾斜面と成している。この内側壁面１４の傾斜は、回路基板２とケース３との接着接合工程において、内側空間Ｓから接着剤食み出し防止用溝８に向かって内側壁面１４を這い上がっている接着剤７の勢いを緩和させるために付けられたものである。当該内側壁面１４の傾斜角度は、接着剤７の勢いを緩和できて接着剤食み出し防止用溝８からケース外部に接着剤７が溢れ出ることを防止できるように、接着剤７の粘性等を考慮し、また、周壁６の強度等をも考慮して設定されている。この第３実施形態例における上記以外の構成は、第１又は第２の実施形態例と同様である。
【００２７】
なお、この発明は第１〜第３の各実施形態例の形態に限定されるものではなく、様々な実施の形態を採り得る。例えば、第２実施形態例では、ケース３の第二周壁６Ｂには、内側空間Ｓと接着剤食み出し防止用溝８とを連通する連通孔１０と溝１３の両方が設けられていたが、溝１３のみが設けられている構成としてもよい。また、そのように連通孔１０と溝１３とのうちの溝１３のみが設けられている構成と、第３実施形態例で示した構成（つまり、第二周壁６Ｂの内側壁面１４が傾斜面である構成）とを有する構成としてもよいものである。
【００２８】
さらに、第１〜第３の各実施形態例は、ＳＤカードを例にして、本発明に係るケースの実施形態例を説明したが、本発明のケースはＳＤカード以外のケースにも適用できるものである。例えば、図４（ａ）の分解図に示されるようなカード型装置１６にも適用することができる。そのカード型装置１６のケースは表側ケース１７と、裏側ケース１８とを有し、当該表側ケース１７と、裏側ケース１８との間に形成される空間Ｓに回路基板２が収容配置される構成であり、その空間Ｓに設けられる接着剤によって、ケース１７，１８の一方又は両方が回路基板２と接着接合される。この場合には、ケース１７，１８のうちの少なくとも回路基板２と接着接合する方のケースに、第１〜第３の各実施形態例に示したケース３と同様に、第一周壁６Ａと第二周壁６Ｂを有する周壁６を形成し当該周壁６の第二周壁６Ｂに接着剤食み出し防止用溝（第一溝）８を設けて連通孔１０や溝１３を設けたり、第二周壁６Ｂの内側壁面１４を傾斜面にする。これにより、第１〜第３の各実施形態例と同様の効果を奏することができる。また、例えば、図４（ｂ）の模式的な断面図に示されるように、裏側ケース１８に回路基板２を接着剤７によって接合した後に、表側ケース１７と裏側ケース１８を例えば超音波接合手法等によって接合する場合には、表側ケース１７と裏側ケース１８との接合面２０に接着剤７が食み出すと、表側ケース１７と裏側ケース１８とを例えば超音波接合できないという問題が発生する。これに対して、第１〜第３の各実施形態例のケース３と同様の構成を備えることによって、裏側ケース１８と回路基板２を接着接合する工程において、表側ケース１７と裏側ケース１８との接合面２０に接着剤７が食み出すことを防止できるので、接合面２０に食み出した接着剤７に起因した問題の発生を回避できるという効果を得ることができる。
【００２９】
さらに、第１〜第３の各実施形態例では、ケース３の第二周壁６Ｂに設けた連通孔１０の一端側の開口部１２は、接着剤食み出し防止用溝８の溝底面に設けられていたが、例えば、図５の模式的な断面図に示されるように、連通孔１０の開口部１２は、接着剤食み出し防止用溝８の側壁面に設けられている構成としてもよい。さらに、第１〜第３の各実施形態例では、接着剤食み出し防止用溝８は、第二周壁６Ｂの全周に渡って周回形成されていたが、当該接着剤食み出し防止用溝８は、第二周壁６Ｂの先端面に部分的に形成されていてもよい。
【図面の簡単な説明】
【００３０】
【図１】第１実施形態例のＳＤカードを構成するケースを説明するためのモデル図である。
【図２】第２実施形態例におけるケースの特有な構成部分を説明するための図である。
【図３】第３実施形態例におけるケースの特有な構成部分を説明するため図である。
【図４】その他の実施形態例を説明するための図である。
【図５】また別のその他の実施形態例を説明するための図である。
【図６】ＳＤカードの一形態例を説明するための図である。
【図７】ＳＤカードを構成するケースの一従来例を説明するための図である。
【図８】ＳＤカードのケースと回路基板の接着接合工程の一例を説明するための図である。
【図９】従来の問題点を説明するための図である。
【符号の説明】
【００３１】
１  ＳＤカード
２  回路基板
３  ケース
４  部品
５  底板
６Ａ  第一周壁
６Ｂ  第二周壁
７  接着剤
８  接着剤食み出し防止用溝
１０  連通孔
１３  溝
１４  内側壁面
【図１】
2008269409.tif 000003
【図２】
2008269409.tif 000004
【図３】
2008269409.tif 000005
【図４】
2008269409.tif 000006
【図５】
2008269409.tif 000007
【図６】
2008269409.tif 000008
【図７】
2008269409.tif 000009
【図８】
2008269409.tif 000010
【図９】
2008269409.tif 000011